(57)【要約】      （修正有）【課題】野球帽などの内部に取り付けてポールの直撃や風圧等の衝撃から頭部を保護するキャップインヘッドギアを提供する。【解決手段】ヘルメット状本体１０が野球帽等の帽子内部に沿う丸みを有し、全体が合成樹脂で一体形成され、側壁に通気孔と切欠を備え、本体頭頂面１３の長手方向に複数本の帯状陥没部１５をほゞ等間隔に列設して頭頂面を帯状陥没部と帯状頂部１４の二段構成とし、帯状頂部と帯状陥没部との間に通気及び緩衝のための段差孔１６を形成する。【選択図】図１
0003154479.tif 000002
【実用新案登録請求の範囲】
【請求項１】
ヘルメット状本体が野球帽等の帽子内部に沿う丸みを有し、全体が合成樹脂で一体形成され、側壁に通気孔と切欠を備えたスポーツ用キャップインヘッドギアであって、本体頭頂面の長手方向に複数本の帯状陥没部をほゞ等間隔に列設して頭頂面を帯状陥没部と帯状頂部の二段構成となし、しかしてそれら帯状頂部と帯状陥没部との間に段差孔が形成されたことを特徴とするスポーツ用キャップインヘッドギア。
【請求項２】
前記ヘルメット状本体の後面に、帽子の後面窓と合致する窓孔を形成することを特徴とする請求項１記載のスポーツ用キャップインヘッドギア。
【請求項３】
ヘルメット状本体の側壁に、耳ガード片を垂設することを特徴とする請求項１又は２記載のスポーツ用キャップインヘッドギア。
【考案の詳細な説明】
【技術分野】
【０００１】  本考案は野球帽などの内部に取り付けるスポーツ用キャップインヘッドギアに関する。
【背景技術】
【０００２】  帽子に加わる外部の衝撃から頭部を保護するために、帽子の内部形状に沿って形成した合成樹脂製のヘルメット状保護具を装着する方法が知られている（例えば特許文献１、２参照）。
【先行技術文献】
【特許文献】
【０００３】
【特許文献１】登録実用新案第３００７４１７号公報
【特許文献２】特許第３９２２６４３号公報
【考案の概要】
【考案が解決しようとする課題】
【０００４】  従来技術のうち文献１の技術は、帽子に取り付けるヘルメットに適宜通気孔を形成したという頗るシンプルな構成のもので、通気孔は本体の周壁に適当間隔をおいて形成されただけに過ぎない。このヘルメットは帽子の内部に対応する形をとるが、周壁端部が円形状に定まっているため着装者の頭部に応じて拡縮する柔軟性に欠けるのと、頂面部は閉塞状のため頭部からの発汗がヘルメット内に滞るという懸念と、ヘルメット内面と頭部が直接するため上方からの衝撃は頭部にも及びやすい懸念がある。【０００５】  これに対し文献２に記載のものは、ヘルメットの頂面部を外側と内側の二重構造としたものが幅方向に縞模様状に形成され、内外の段差により形成される長窓孔から通気が可能となるように構成した作業帽である。この技術はヘルメットの周縁端部に切欠を有するので着装者の頭部形状に応じてフィットすることができ、二重構造の頂面部が弾性を有するため衝撃の緩和に有効とはなるものの、縞模様状の内外頂部はヘルメットの幅方向（短手方向）に形成されたものであるから作業帽には適しても、野球帽のように被ったときに風や球体が前後方向（長手方向）に加わりやすい帽子では、直進する風圧などに対し長窓孔がいわば障壁となる可能性があり衝撃緩和機能を十分に発揮できない不具合がある。つまりこの技術は上方からの衝撃に対処できる作業帽という限定された用途に供するには適しても、野球帽のようなスポーツ向けの帽子などには必ずしも好適するものではなく汎用性に欠ける憾みがある。【０００６】  本考案は上記した従来技術に鑑みて創案されたものであり、その目的とするところは、野球帽のように一般にも広く利用される帽子に取り付けることで頭部が衝撃より保護されるとともに、通気性がよく体裁も良好なスポーツ用キャップインヘッドギアを提供しようとするものである。
【課題を解決するための手段】
【０００７】  すなわち本考案は、ヘルメット状本体が野球帽等の帽子内部に沿う丸みを有し、全体が合成樹脂で一体形成され、側壁に通気孔と切欠を備えたスポーツ用キャップインヘッドギアであって、本体頭頂面の長手方向に複数本の帯状陥没部をほゞ等間隔に列設して頭頂面を帯状陥没部と帯状頂部の二段構成となし、しかしてそれら帯状頂部と帯状陥没部との間に段差孔が形成されたものであることを主旨とする。【０００８】  前記ヘルメット状本体の後面に、帽子の後面窓と合致する窓孔を形成すると、帽子の後面から本体が目視されず体裁が良い。【０００９】  前記ヘルメット状本体の側壁に、耳ガード片を垂設すると衝撃から耳を保護することができる。
【考案の効果】
【００１０】  本考案ではヘルメット状本体の頭頂面の長手方向にほゞ等間隔とした帯状陥没部を形成してあり、このため頭頂面が帯状頂部と帯状陥没部が交互に並設するかたちとなる。したがって本体を帽子内に装着すると、帽子の内面頂部には帯状頂部が当接し、帯状陥没部はその下方に位置するため帽子を被った着用者の頭部に当接する。帽子に外部から衝撃が加わると帯状頂部が弾性を発揮して衝撃を緩和するため着用者の頭部は保護される。帯状頂部と陥没部は本体の長手方向に形成されており、このため帽子前方から来る風圧や衝撃は帯状頂部と陥没部に沿う方向に流れて逃げやすくなる。つまり野球のようなスポーツで使用される帽子の場合通常前部を顔側に向けて着用するものであり、ヘルメット状本体も長手方向の前部分を帽子の前部に向けて取り付けるので、例えば前方から飛来する球体が頭部を直撃するようなことがあっても、球体は帯状頂部と陥没部に沿ってスムーズに後方へと移動するため着用者への負荷が緩和される。また帯状頂部と陥没部は幅方向（短手方向）に形成するのと異なって丈が長く、その分頭頂面に十分な弾性機能を付与することになり、前後方向は勿論上方からの衝撃を緩和するのにも頗る有効となる。そして帯状頂部と陥没部の段差孔も長いため側壁に形成した通気孔と相まって通気機能が十分に働くとともに、側壁の切欠により着用者の帽子及び頭部にヘルメット状本体が調整適合する。【００１１】  野球帽などには帽径の調節ができるように後面窓を形成して幅方向に調整バンドを備えたものが多い。このためヘルメット本体が後面窓内に露出するおそれがあるが、本体の後面に窓孔を形成しておくと、後方から見ても本体は目視されないため体裁上都合がよい。【００１２】  ヘルメット状本体の側壁に耳ガード片を垂設すると、耳に球体が直撃してもその衝撃から耳を未然に防止することができるので安心してプレイができる。普通の野球帽には耳カバーは存在しないためこのように耳ガード片を形成することは安全上極めて効果的である。
【図面の簡単な説明】
【００１３】
【図１】ヘルメット状本体を示し（ａ）は平面図、（ｂ）は短手方向を切断した頭頂面の部分説明図、（ｃ）は長手方向を切断した頭頂面の部分説明図である。
【図２】ヘルメット状本体を前方から見た斜視図である。
【図３】後面に窓孔を形成したヘルメット状本体を後方から見た端面図である。
【図４】ヘルメット状本体を取り付ける帽子を後方から見た斜視図である。
【図５】耳ガード片を備えたヘルメット状本体の側面図である。
【考案を実施するための形態】
【００１４】  図１及び図２のように、本考案はヘルメット状本体１０がスポーツ用の帽子２０（図１の仮想線）の内部に沿う丸みを有し、全体がポリエチレンのような合成樹脂で一体形成されたもので、左右前後の側壁に適宜の通気孔１１を備えてある。また側壁下端には切欠１２があり、着装時に着用者の頭部と帽子２０の径に応じて本体１０がおのずから適合調整される。
【００１５】  本体１０の頭頂面１３には、長手方向に複数本の帯状陥没部１５が全面にわたってほゞ等間隔に列設してあり、帯状陥没部１５以外の頭頂面１３の個所が帯状頂部１４となる。つまり頭頂面１３は帯状頂部１４と陥没部１５の二段構成でそれらが交互に形成されたものであり、帯状陥没部１５を帯状頂部１４の肉厚よりも数ミリ下方に位置させることにより両者の上下方向に長い段差孔１６が形成される。
【００１６】  上記のように頭頂面１３を帯状頂部１４と陥没部１５の二段構成としたことで頭頂面１３は弾性機能を発揮し、帽子２０の上方に加わる衝撃は帯状頂部１４において吸収できる。帽子着用者の頭部は帯状陥没部１５に当接するため衝撃を受けても直接的には帯状頂部１４に負荷がかかってる頭部に及ぶ危険の影響を最小限にすることができる。
【００１７】  帯状頂部１４と帯状陥没部１５は本体１０の長手方向に形成されているので帽子２０の前方より来る衝撃、例えば自転車走行中の風圧に対しても風の流れが帯状頂部１４と陥没部１５に沿って逃げやすいため帽子にかゝる負荷を少なくでき風圧によって帽子が飛ばされる度合いが可及的軽減される。同様に例えば野球プレイ中のように、前方から投げられたボールは通常帽子１０の前部より後部方向、つまり長手方向に向いて飛ぶため例え帽子にボールが当接しても帯状頂部１４と帯状陥没部１５の長手方向に沿って後方へと移動して球威の衝撃緩和が所期される。
【００１８】  帯状陥没部１５と同じ長さを持つ段差孔１６は十分な通気機能を発揮するため頭部からの発汗により本体１０内に籠もった熱気は段差孔１６及び通気孔１１を通って帽子２０から発散される。したがって帽子を長時間着用しても本体１０による通気阻害による悪影響を未然に防止でき着用者の頭部は衛生的に保たれる。
【００１９】  図３はヘルメット本体１０の後面に窓孔１７を形成した例を示す。野球帽のような帽子２０は図４のように後面窓２１を設けて調整バンド２２を取り付けるものが多く、その場合後面窓２１内が透視されるが、本体１０に窓孔１７を形成すると当然ながらその部分の本体周壁は欠けているのと同様のため通常の帽子を被っているのと何ら変わりがなく目視されるので体裁がよい。
【００２０】  図５はヘルメット状本体１０の側壁に耳ガード片１８を垂設した例を示す。野球の場合、打者が耳ガードを取り付けたヘルメットを被るが、布製野球帽にはその必要がないため耳ガードは設けていない。そこで図示のように本体１０に耳ガード片１８を形成したものを着装すれば通常の野球帽を被っても打球が耳を直撃したときに衝撃を緩和でき、耳を保護することができるため安心してプレイができる。
【００２１】  上記のように本案ヘッドギアは帽子２０内に装着するものであり、帽子の用途は野球、ゴルフなどのスポーツに好適するものではあるが、通学・通園用の帽子に着装すると幼児や学童の頭部保護にも役立ち、また消防や警察出動時などに使用するにも相応しく広範な用途に供することができる。
【００２２】  本考案はヘルメット状本体１０の長手方向頭頂面１３に帯状頂部１４と帯状陥没部１５を形成して段差孔１６が同方向に位置することを特徴としたものであり、通気孔１１、切欠１２の位置・形状・大きさなどは任意に形成でき、素材なども自由な選択が可能である。
【符号の説明】
【００２３】  １０  ヘルメット状本体
１１  通気孔
１２  切欠
１３  頭頂面
１４  帯状頂部
１５  帯状陥没部
１６  段差孔
１７  窓孔
１８  耳ガード片
２０  帽子
２１  後面窓
２２  調整バンド
【図１】
0003154479.tif 000003
【図２】
0003154479.tif 000004
【図３】
0003154479.tif 000005
【図４】
0003154479.tif 000006
【図５】
0003154479.tif 000007